(57)【特許請求の範囲】
【請求項１】
排泄物受体と、この排泄物受体に設けた排泄物吸込口と、この排泄物吸込口から排泄物を吸引排出する排泄物排出手段とを備えた排泄処理装置において、前記排泄物排出手段は、受板の一側に配置した湾曲状のホース湾曲部と、このホース湾曲部のほぼ中央を回転中心とするロータと、このロータの回転駆動手段と、前記ロータの半径方向に設けられた軸と、この軸に設けられ、前記ホース湾曲部に一側から接すると共に前記受板との間で該ホース湾曲部を押し潰しながら移動する滑子とを備え、前記滑子が、軸方向に分割された分割ローラからなり、各分割ローラは前記軸にそれぞれ独立して回転可能に設けられていることを特徴とする排泄処理装置。
【請求項２】
前記ホース湾曲部の両端には、該ホース湾曲部に向って斜め一側向きの傾斜部を形成し、前記受板には、前記傾斜部に対応して傾斜板部が設けられていることを特徴とする請求項１記載の排泄処理装置。
【請求項３】
前記ロータに、前記ホースを湾曲方向内外から挟む内，外保形手段を設け、この内，外保形手段の間隔は前記ホースの外径にほぼ等しいことを特徴とする請求項１又は２記載の排泄処理装置。
【発明の詳細な説明】
【０００１】
【発明の属する技術分野】
本発明は、排泄処理装置に係わり、特に排泄物を吸引排出する排泄物排出手段を改良した排泄処理装置に関する。
【０００２】
【発明が解決しようとする課題】
従来、この種の排泄物処理装置として、同一出願人は、実公平７―１９４６１号公報や実公平７―３３７７７号公報のものを提案しており、上記実公平７―１９４６１号公報の排泄処理用オシメにおいては、排出物受体であるオシメ主体に排出ホースを接続し、真空ポンプにより排出物を吸引排出するようにしており、また、上記実公平７―３３７７７号公報の排泄処理装置では、排泄物排出装置により排泄物を吸引排出する排泄物吸込口を排泄用着用体の内面に備えてなる排泄物処理装置において、前記排泄物排出装置がコンプレッサーを備えている。
【０００３】
上記のように真空ポンプやコンプレッサーを用いて排泄物を吸引するものでは、吸引音が比較的大になると共に、それら真空ポンプやコンプレッサーを備えることにより装置を小型化することが難しい問題がある。
【０００４】
そこで、駆動音を小さくできるものとして、ホース（チューブ）ポンプが知られており、例えば、実開平５−６３４９０号公報には、流入口と流出口とを平行に突設下断面円形のケーシング内にホースを配設し、Ｕ字形に収めたホースの内側に接するように、ケーシング内に円板状の回転体を設け、該回転体の偏心位置にローラを対向させて取付け（公報第００１５段及び第００１６段）ており、前記ローラが、ホースをケーシングの内壁側へ押し付けながら移動することにより、ホース内の被圧送物が流出部側へと送り出される。
【０００５】
ところで、上記ホースポンプにより比較的大容量の被圧送物を圧送する場合には、ホースの径を大きくする必要がある。そして、ホースの径を大きくすると、ホースの可撓性により、Ｕ字形に配置するホースの曲率を小さくしようとしても、ホースの弾性により制限を受ける。このため、大径のホースでその曲率を小さくするには、限界があり、ポンプを小型化することができなかった。
【０００６】
そこで、本発明は、比較的大容量の圧送が可能で、かつ排泄物排出手段の小型化が可能な排泄処理装置を提供することを目的とする。
【０００７】
【課題を解決するための手段】
請求項１の発明は、排泄物受体と、この排泄物受体に設けた排泄物吸込口と、この排泄物吸込口から排泄物を吸引排出する排泄物排出手段とを備えた排泄処理装置において、前記排泄物排出手段は、受板の一側に配置した湾曲状のホース湾曲部と、このホース湾曲部のほぼ中央を回転中心とするロータと、このロータの回転駆動手段と、前記ロータの半径方向に設けられた軸と、この軸に設けられ、前記ホース湾曲部に一側から接すると共に前記受板との間で該ホース湾曲部を押し潰しながら移動する滑子とを備え、前記滑子が、軸方向に分割された分割ローラからなり、各分割ローラは前記軸にそれぞれ独立して回転可能に設けられているものである。
【０００８】
この請求項１の構成によれば、回転駆動手段によりロータを回転すると、滑子が湾曲部を押し潰しながら移動し、内部の排泄物を送り出す。この際、滑子が、湾曲部の平面方向からホースを押し潰すため、ホースを無理なく押し潰すことができる。従って、ホースの径を大きくしたり、ホース湾曲部の曲率を小さくしたりしても、スムーズに動作することができる。また、分割ローラがそれぞれ独立して回転することによりホース湾曲部をスムーズに押し潰すことができる。
【０００９】
また、請求項２の発明は、前記ホース湾曲部の両端には、該ホース湾曲部に向って斜め一側向きの傾斜部を形成し、前記受板には、前記傾斜部に対応して傾斜板部が設けられているものである。
【００１０】
この請求項２の構成によれば、ロータの回転によりホース湾曲部の端部に近づいた滑子が、ホースを除々に押し潰していくため、抵抗が少なく滑子を移動できると共に、押し潰す際、湾曲部のホースに無理な力が加わり難くなる。
【００１１】
また、請求項３の発明は、前記ロータに、前記ホースを湾曲方向内外から挟む内，外保形手段を設け、この内，外保形手段の間隔は前記ホースの外径にほぼ等しいものである。
【００１２】
この請求項３の構成によれば、滑子部分ではホースが押し潰されるが、滑子と同体的に回転する内，外保持部材がホースを湾曲方向内外から挟んで該ホースが円形に復帰するように保持するから、湾曲部内の被圧送物をスムーズに送ることができる。
【００１３】
【発明の実施形態】
以下、本発明の実施例を添付の図面を参照して説明すると、図１ないし図７は本発明の一実施例を示し、ホースポンプ１は、ケーシング２内に受板３を縦設し、ホース４を略Ｕ字型に湾曲したホース湾曲部５を形成し、このホース湾曲部５を前記受板３の一側たる表面に配置している。図６に示すように、前記ホース湾曲部５の両端には、斜め一側向きの傾斜部６，６を形成し、該傾斜部６，６の端部に、前記湾曲部５の平面と平行な流入部７及び流出部８が設けられている。また、前記湾曲部５の平面他側に、複数のボス９を一体に突設し、このボス９には、インサートにより雌螺子筒10が周方向略等間隔に取り付けられており、この雌螺子筒10には鍔部10Ａが一体に設けられている。また、それら雌螺子筒10に対応して、前記受板３には、前記ボス９を挿入配置する有底な取付筒部11が裏面に突設され、この取付筒部11に前記ボス９を挿入配置した状態で、該取付筒部11の底部にボルト12を挿通し、このボルト12を前記雌螺子筒10に螺着することにより、前記受板３の表面に前記湾曲部５が接した状態で固定している。また、前記受板３には、前記傾斜部６に対応して傾斜板部３Ａが設けられている。尚、前記流入部７及び流出部８にはそれぞれ縮小管７Ａ，８Ａが接続されている。
【００１４】
前記湾曲部５の中心にはロータ21が設けられ、このロータ21は、前記受板３の裏面側に配置した回転駆動手段たるモータ22の回転を減速機22Ａにより減速し、該減速機22Ａの回転軸22Ｂにより回転駆動する。また、前記ロータ21には、前記湾曲部５を押し潰しながら移動する滑子たるローラ体23，23が、対向した位置に設けられ、前記ローラ体23は、軸方向に４つに分割された分割ローラ25，25，25，25からなり、各分割ローラ25，25，25，25は、軸受25Ａ，25Ａ，25Ａ，25Ａにより、軸24にそれぞれ独立して回動可能に設けられ、かつ隙間なく配置されている。そして、前記ローラ体23は、前記湾曲部５の平面に対してその交差方向一側から接して前記受板３との間に該湾曲部５を押し潰すものである。また、前記ロータ21には前記ローラ21，21と等間隔に４つのアーム31，31，31，31が設けられている。このアーム31には、内，外保形手段たる内，外ローラ32，32Ａが回動可能に設けられ、これら内，外ローラ32，32Ａは、前記ホース４の外径に対応した間隔を置いて配置されている。
【００１５】
図７は排泄処理装置41の概略図を示し、排泄物受部である排泄用着用体42は、例えばオムツ体であって、内部に凹所を有する高分子樹脂成形体43と、この成形体43に被装された柔軟なシート体たるシリコーンシート体44とからなり、このシリコーンシート体44が使用者の股部に密着するようになっている。前記成形体43は、その内部に連通する排泄物吸込口45や、図示しない温水供給口及び空気供給口を備え、図示しない温水供給手段及び空気供給手段により、前記温水供給口から温水を着用体42内部に供給し、前記空気供給口から温風を供給できるようになっている。また、前記排出物吸込口45は、接続ホース46により、前記ホースポンプ１の流入部７に接続され、該ホースポンプ１の流出部８は、接続ホース46Ａにより、排出部たる排泄物タンク47に接続されており、前記接続ホール46及びホースポンプ１により排泄物排出手段48を構成している。
【００１６】
次に、前記構成に付き、その作用を説明すると、モータ22を駆動すると、ロータ21が所定の速度で回転し、ローラ体23が湾曲部５を押し潰しながら回転すると共に、ローラ体23により押し潰された湾曲部５の回転方向前後において内，外ローラ32，32Ａが湾曲部５を挟むことにより、ホース４の弾性復元力に加えて該湾曲部５を円形に復帰せしめ、ホース４の内部空間を確保し、これにより、内部の排泄物（図示せず）をスムーズに圧送することができる。この場合、ローラ体23は、湾曲部５をその平面方向から押し潰すため、従来の湾曲部の内側を外側に向って押し潰すものに比べて、ホース５の径が大きくて湾曲部５の曲率が小さくても、ホース４全体を無理なくローラ体23が押し潰すことができる。また、ロータ21により回転するローラ体23は、湾曲部５の端部に近づくと、傾斜部６によりホース４を除々に押し潰すから、ローラ体23によりホース４に無理な力が加わることがなく、同様に、湾曲部５からローラ体23が外れる場合も、傾斜部６により、ホース４に部分的に無理な力が加わらない。
【００１７】
ところで、ローラ体23の軸24は、湾曲部５のほぼ中央を中心として回転するから、ローラ体23が軸24を中心に回転する場合、ローラ体23とホース湾曲部５との間に摩擦摺動を起こさないためには、湾曲部５の中心線５Ｃの内側では軸24を中心とした回転速度を遅く、中心線５Ｃより外側では軸24を中心とした回転速度を早くする必要がある。すなわち、ローラ体において、ロータ21の回転中心からの半径位置が異なるからである。そして、ローラ体全体が一体物であると、前記回転における速度差により、ローラ体の内側と外側で該ローラ体との滑り摩擦によりホースがよじれ、ホースをむしるような剪断力が加わる。これに対して、本願発明では、ローラ体23をそれぞれ独立して遊転可能な分割ローラ25，25，25，25により構成しているから、軸24を中心に、内側の分割ローラ25は遅く、外側の分割ローラ25は早く回転しながら湾曲部５を押し潰すため、ホース４に無理な力が加わらず、湾曲部５をスムーズに押し潰すことができる。そして、流出部８から圧送された排泄物は、接続ホース46Ａを通って排泄物タンク47に送られ、臭気処理などが行われた後、内部に貯められ、所定量が溜まったら、外部に廃棄することができる。
【００１８】
このように本実施例では、請求項１に対応して、排泄物受体たる排泄用着用体42と、この排泄用着用体42に設けた排泄物吸込口45と、この排泄物吸込口45から排泄物を吸引排出する排泄物排出手段48とを備えた排泄処理装置41において、排泄物排出手段48は、受板３の一側に配置した湾曲状のホース湾曲部５と、このホース湾曲部５のほぼ中央を回転中心とするロータ21と、このロータ21の回転駆動手段たるモータ22と、ロータ21の半径方向に設けられた軸24と、この軸24に設けられ、ホース湾曲部５に一側から接すると共に該ホース湾曲部５を押し潰しながら移動する滑子たるローラ体23とを備え、前記滑子たるローラ体23が、軸方向に分割された分割ローラ25，25，25，25からなり、各分割ローラ25，25，25，25は軸24にそれぞれ独立して回転可能に設けられているから、モータ22によりロータ21を回転すると、ローラ体23が湾曲部５を押し潰しながら移動し、内部の排泄物を送り出し、この際、ローラ体23が、湾曲部５の平面方向からホース４を押し潰すため、ホース４を無理なく押し潰すことができる。従って、ホース４の径を大きくしたり、ホース湾曲部５の曲率を小さくしたりしても、スムーズに動作することができ、比較的容量を大きくして小型のホースポンプ１を提供できる。また、前記滑子たるローラ体23が、それぞれ回転可能な分割ローラ25，25，25，25であるから、分割ローラ25，25，25，25がそれぞれ独立して回転することによりホース湾曲部５を無理なくスムーズに押し潰すことができる。
【００１９】
また、このように本実施例では、請求項２に対応して、前記ホース湾曲部５の両端には、ホース湾曲部５に向って斜め一側向きの傾斜部６，６を形成し、受板３には、傾斜部６，６に対応して傾斜板部３Ａ，３Ａが設けられているから、ロータ21の回転によりホース湾曲部５の端部に近づいたローラ体23が、ホース４を除々に押し潰していき、抵抗が少なくローラ体23を移動できると共に、押し潰す際、湾曲部５のホース４に無理な力が加わり難くなる。
【００２０】
また、このように本実施例では、請求項３に対応して、ロータ21に、ホース４を湾曲方向内外から挟む内，外保形手段たる内，外ローラ32，32Ａを設け、この内，街路―ラ３２，32Ａの間隔はホース４の外径にほぼ等しいから、ローラ体23部分ではホース４が押し潰されるが、ローラ体23と同体的に回転する内，外ローラ32，32Ａがホース４を湾曲方向内外から挟んで該ホース４が円形に復帰するように保持するから、湾曲部５内の被圧送物たる排泄物をスムーズに送ることができる。
【００２１】
また、実施例上の効果として、ローラ体23とアーム31との角度が５０度から７０度、好ましくは実施例に示した６０度前後であるから、ほぼ９０度のホース湾曲部５において、ローラ体23により押し潰されたホース４を効果的に元の形状に保形することができる。また、前記受板３には、前記傾斜部６に対応して傾斜板部３Ａを設けたから、ホール湾曲部５の両端側において、ホース４が逃げることなく、ローラ体23によりホース４をスムーズに押し潰すことができる。さらに、中心線５Ｃの両側の分割ローラ25，25の境目を該中心線５Ｃとずらした位置に配置しているから、ホース湾曲部５をスムーズに押し潰すことができる。
【００２２】
尚、本発明は上記実施例に限定されるものではなく、本発明の要旨の範囲内において、種々の変形実施が可能である。例えば、排泄物受体は、着用体以外でも、ベットに設けられた排泄物受でもよい。また、実施例では、ホース湾曲部の端部に直線斜め状の傾斜部を設けたが、この傾斜部を湾曲状に形成してもよい。また、ローラ体は２個以上に分割されていればよい。
【００２３】
【発明の効果】
請求項１の発明は、  排泄物受体と、この排泄物受体に設けた排泄物吸込口と、この排泄物吸込口から排泄物を吸引排出する排泄物排出手段とを備えた排泄処理装置において、前記排泄物排出手段は、受板の一側に配置した湾曲状のホース湾曲部と、このホース湾曲部のほぼ中央を回転中心とするロータと、このロータの回転駆動手段と、前記ロータの半径方向に設けられた軸と、この軸に設けられ、前記ホース湾曲部に一側から接すると共に前記受板との間で該ホース湾曲部を押し潰しながら移動する滑子とを備え、前記滑子が、軸方向に分割された分割ローラからなり、各分割ローラは前記軸にそれぞれ独立して回転可能に設けられているものであり、比較的大容量の圧送が可能で、かつ排泄物排出手段の小型化が可能な排泄処理装置を提供することができる。
【００２４】
また、請求項２の発明は、前記ホース湾曲部の両端には、該ホース湾曲部に向って斜め一側向きの傾斜部を形成し、前記受板には、前記傾斜部に対応して傾斜板部が設けられていものであり、比較的大容量の圧送が可能で、かつ排泄物排出手段の小型化が可能な排泄処理装置を提供することができる。
【００２５】
また、請求項３の発明は、前記ロータに、前記ホースを湾曲方向内外から挟む内，外保形手段を設け、この内，外保形手段の間隔は前記ホースの外径にほぼ等しいものであり、比較的大容量の圧送が可能で、かつ排泄物排出手段の小型化が可能な排泄処理装置を提供することができる。
【図面の簡単な説明】
【図１】本発明の一実施例を示すホースポンプの正面側断面図である。
【図２】本発明の一実施例を示すホースポンプの側面側断面図である。
【図３】本発明の一実施例を示すホースポンプの平断面図である。
【図４】本発明の一実施例を示すローラ体の断面図である。
【図５】本発明の一実施例を示すホースの背面図である。
【図６】本発明の一実施例を示すホースの断面図である。
【図７】本発明の一実施例を示す排泄処理装置の概略図である。
【符号の説明】
１  ホースポンプ
３  受板
３Ａ  傾斜板部
４  ホース
５  ホース湾曲部
６  傾斜部
21  ロータ
22  モータ（回転駆動手段）
23  ローラ体
24  軸
25  分割ローラ
32  内ローラ
33  外ローラ
41  排泄処理装置
42  排泄用着用体（排泄物受体）
45  排泄物吸引口
48  排泄物排出手段
【図１】
0003669873.tif 000002
【図２】
0003669873.tif 000003
【図３】
0003669873.tif 000004
【図４】
0003669873.tif 000005
【図５】
0003669873.tif 000006
【図６】
0003669873.tif 000007
【図７】
0003669873.tif 000008